(57)【要約】【課題】動作電圧を管理することで動作時の消費電力を下げることを可能とし、また、従来電圧監視ＩＣにて行っていた機能を一つのデバイスに集中させることでコスト、実装面積面においても優れた画像形成装置を提供する。【解決手段】システム内の各電源電圧を監視する機能および各電源のＤＣ／ＤＣコンバータ８〜１１の出力電圧を制御する機能を有する制御手段（ＣＰＵ１、Ａ／Ｄマイコン）を備えた。【選択図】　　　　図１
2004034520.tif 000002
【特許請求の範囲】
【請求項１】
システム内の各電源電圧を監視する機能および各電源のＤＣ／ＤＣコンバータの出力電圧を制御する機能を有する制御手段を備えたことを特徴とする画像形成装置。
【請求項２】
請求項１記載の画像形成装置において、制御手段は、省エネモード時、各動作電源の出力電圧をデバイスの下限値に設定する機能を有することを特徴とする画像形成装置。
【請求項３】
請求項２記載の画像形成装置において、制御手段は、立ち上がり時の各電源電圧を監視しリセット信号を出力する機能を有することを特徴とする画像形成装置。
【請求項４】
請求項３記載の画像形成装置において、制御手段は、省エネモード時の制御を行う機能を有することを特徴とする画像形成装置。
【発明の詳細な説明】
【０００１】
【発明の属する技術分野】
本発明は、複数電源のコントローラを搭載するプリンタ装置、複写機、ファクシミリ装置、複合機等の画像形成装置に関するものである。
【０００２】
【従来の技術】
画像形成装置において、従来より待機時の消費電力を抑えるために、特開２００１−１９１６１６号公報記載のように、必要最低限の制御デバイスのみを動作させておく技術が知られている。またその他にも省エネモード時の消費電力を低くする技術が種種提案されている。
【０００３】
【発明が解決しようとする課題】
しかしながら、従来技術では省エネモード時の消費電力を低く抑えることは可能であるが、動作時の消費電力は従来より低くすることはできない。また、より多くのデバイスを設ける必要があるため、コスト的、実装面積的にも問題がある。
【０００４】
本発明は、動作電圧を管理することで動作時の消費電力を下げることを可能とし、また、従来電圧監視ＩＣにて行っていた機能を一つのデバイスに集中させることでコスト、実装面積面においても優れた画像形成装置を提供することを目的とする。
【０００５】
【課題を解決するための手段】
上記目的を達成するために、請求項１記載の発明は、システム内の各電源電圧を監視する機能および各電源のＤＣ／ＤＣコンバータの出力電圧を制御する機能を有する制御手段を備えた画像形成装置を最も主要な特徴とする。
【０００６】
請求項２記載の発明は、請求項１記載の画像形成装置において、制御手段は、省エネモード時、各動作電源の出力電圧をデバイスの下限値に設定する機能を有する画像形成装置を主要な特徴とする。
【０００７】
請求項３記載の発明は、請求項２記載の画像形成装置において、制御手段は、立ち上がり時の各電源電圧を監視しリセット信号を出力する機能を有する画像形成装置を主要な特徴とする。
【０００８】
請求項４記載の発明は、請求項３記載の画像形成装置において、制御手段は、省エネモード時の制御を行う機能を有する画像形成装置を主要な特徴とする。
【０００９】
【発明の実施の形態】
以下、図面により本発明の実施の形態を詳細に説明する。図１は本発明の実施の形態に係る画像形成装置としてのプリンタ装置の機能ブロック図である。本プリンタ装置において、ＣＰＵ１は、コントローラおよびプリンタシステムの制御を行っている。動作周波数は比較的高いものが使われており、消費電力もかなり高めで周波数に比例して増加する傾向にある。
【００１０】
エンジンＩ／Ｆ２は、プリンタ装置のエンジン部の制御を行うボードとコントローラを接続している。システム制御ＡＳＩＣ３は、コントローラシステムの画像処理、ＤＭＡ制御、メモリ制御、操作部制御、割込み制御等のシステム制御を行っている。
【００１１】
ＲＡＭ４は、画像描画データの格納、ファームウェアの実行等を行っている揮発性の高速メモリである。ＲＯＭ５は、ファームウェアを圧縮して格納している。ＮＶＲＡＭ６は、ログデータ、ユーザー設定情報等の保存を行っている。Ａ／Ｄマイコン７は、Ａ／Ｄ変換機能、リセット出力機能、ＤＣ／ＤＣコンバータ制御機能、省エネ制御機能、マイコン用ファームウェア内蔵等の機能を備えている低消費電力マイコンである。
【００１２】
ＣＰＵ用ＤＣ／ＤＣコンバータ８は、１．０〜１．８Ｖの低電圧、数Ａの大電流を出力している。ＡＳＩＣ用ＤＣ／ＤＣコンバータ９は、２、５Ｖ程度の内部動作電源と３、３Ｖ程度のＩ／０源を出力している。３Ｖ系デバイス用ＤＣ／ＤＣコンバータ１０は、ＲＡＭ４やＲＯＭ５、ロジックＩＣなどの３、３Ｖバイスの電源を出力している。
【００１３】
５Ｖ系デバイス用ＤＣ／ＤＣコンバータ１１は、ＩＥＥＥ１２８４Ｉ／Ｆ用ＩＣやエンジンＩ／Ｆ２等で使用する５ＶＩ／Ｆロジックの電源を供給している。ＰＳＵ出力制御回路１２は、ＰＳＵからコントローラに供給する省エネ時出力の＋５ＶＥ、省エネ時停止の＋５Ｖ等の電源出力に対して、各省エネモードに応じて出力／停止を制御している。
【００１４】
高精度リファレンス電圧１３は、Ａ／Ｄマイコン７にてＡ／Ｄ変換する際に使用する高精度な基準電圧である。＋５ＶＥから高精度出力のＤＣ／ＤＣコンバータを介して出力される。省エネ復帰検知回路１４は、省エネ復帰のトリガとなる信号線をＡ／Ｄマイコン７に入力することで、省エネ時にＣＰＵ１やシステム制御ＡＳＩＣ３の電源をＯＦＦにしていても復帰動作が可能となる。
【００１５】
図２は本発明の制御動作を示すフローチャートである。このフローチャートに従って動作説明を行う。まず、システムの電源をＯＮするとＰＳＵより各電源が出力され、コントローラには＋５ＶＥおよび＋５Ｖが供給される（Ｓ１）。＋５ＶＥから作り出されるＡ／Ｄマイコン７用動作電源およびリファレンス電源が所定の電圧値まで上がると、その電源を監視している電圧検出ＩＣよりリセット解除信号が出力され（Ｓ２）、Ａ／Ｄマイコン７が動作を開始する（Ｓ３）。
【００１６】
Ａ／Ｄマイコン７ははじめに各電源の電圧値を読みに行き（Ｓ４）、各電源の出力が正常にされると（Ｓ５ではい）、各電源用のリセット解除信号をシステム制御ＡＳＩＣ３に出力し、各デバイスが動作を開始する（Ｓ６）。もし、ここで各電源の出力が正常にされていない場合には（Ｓ５でいいえ）、アラーム通知により電源系の異常をオペレータに通知する（Ｓ７）。
【００１７】
次にオペレータ設定により低電圧動作モードが設定されている場合には（Ｓ８ではい）、各デバイスの規格値の最低電圧が出力されるように各ＤＣ／ＤＣコンバータ９〜１１の出力を制御する（Ｓ９）。この場合、標準電圧値と比較して１０％の省エネ効果が得られ、最大電圧値と比較して２０％の省エネ効果が得られることになる。
【００１８】
次に省エネ移行時の動作であるが、省エネモードに移行すると（Ｓ１０ではい）、Ａ／Ｄマイコン７およびその周辺回路のみ電源供給を行い、その他のＣＰＵ１、エンジンＩ／Ｆ２、システム制御ＡＳＩＣ３、ＲＡＭ４、ＲＯＭ５、ＮＶＲＡＭ６等の電源供給を停止する（Ｓ１１）。
【００１９】
Ａ／Ｄマイコン７自体は消費電力が極めて低いため、従来のＡＳＩＣの一部のみに電源を供給するのに比べてより一層の省エネ効果が得られる。復帰時は電源キー押下検出、原稿セット検出、圧板開閉検出、データ受信検出等の復帰信号を検出し（Ｓ１２ではい）、Ａ／Ｄマイコン７にて復帰動作を行うことでシステム全体を復帰させる。
【００２０】
【発明の効果】
以上説明したように、請求項１によれば、制御手段における電源電圧監視機能により、各電源出力値の監視が可能となり、安定してシステムを動作させることができる。
【００２１】
請求項２によれば、制御手段における省エネ設定時の低電圧設定機能により、動作状態においても従来より１０〜２０％の省エネ化を行うことができる。
【００２２】
請求項３によれば、制御手段における立ち上がり時の電源電圧機能により、電源電圧監視ＩＣの代わりに電源を監視することが可能となり、従来、各電源毎に１個設けていた電源電圧監視ＩＣを削除することができる。
【００２３】
請求項４によれば、制御手段における省エネモード制御機能により、従来、ＡＳＩＣで行っていた省エネ制御が可能となり、従来より消費電力を下げることができる。
【図面の簡単な説明】
【図１】本発明の実施の形態に係る画像形成装置としてのプリンタ装置の機能ブロック図である。
【図２】本発明の制御動作を示すフローチャートである。
【符号の説明】
１　ＣＰＵ（制御手段）
７　Ａ／Ｄマイコン（制御手段）
８、９、１０、１１　ＤＣ／ＤＣコンバータ
【図１】
2004034520.tif 000003
【図２】
2004034520.tif 000004